(57)【要約】【課題】  摘み部が折り返ってフック部に係合した場合であっても、摘み部を摘みやすくして、フック部から容易に引き剥がせるように工夫した止着テープおよびこの止着テープを用いた使い捨て吸収性物品を提供する。【解決手段】  メカニカルファスナーのループ部１３として機能する不織布製の摘み用タブ１８の一部にメカニカルファスナーのフック部１９が取付けられた止着テープ１２であって、上記摘み用タブ１８のフック部１９の近傍に、折り返った摘み部１８ａが係合しない不係合部分２０が形成されている。【選択図】  図１
2005319139.tif 000002
【特許請求の範囲】
【請求項１】
メカニカルファスナーのループ部として機能する不織布製の摘み用タブの一部にメカニカルファスナーのフック部が取付けられた止着テープであって、
上記摘み用タブのフック部の近傍に、折り返った摘み部が係合しない不係合部分が形成されていることを特徴とする止着テープ。
【請求項２】
上記不係合部分は、フック部の端部に形成されていることを特徴とする請求項１記載の止着テープ。
【請求項３】
上記不係合部分は、摘み用タブの長さ方向にフック部と交互に形成されていることを特徴とする請求項１記載の止着テープ。
【請求項４】
上記不係合部分は、フック部内に形成されていることを特徴とする請求項１記載の止着テープ。
【請求項５】
請求項１〜４のいずれか１項に記載の止着テープの摘み用タブは、使い捨て吸収性物品の背側若しくは腹側の一方に設けられて、他方に設けられたメカニカルファスナーのループ部に着脱可能に係止するものであることを特徴とする止着テープを用いた使い捨て吸収性物品。
【発明の詳細な説明】
【技術分野】
【０００１】
本発明は、止着テープおよびこの止着テープを用いた使い捨て吸収性物品に関する。
【背景技術】
【０００２】
従来、図６（ａ）に示すように、例えば使い捨て吸収性物品（例えば使い捨ておむつ）４に使用するために、メカニカルファスナーのループ部として機能する不織布製の摘み用タブ１の一部にメカニカルファスナーのフック部２が取付けられた止着テープ３がある（特許文献１参照）。
【０００３】
この止着テープ３は、フック部２が二点鎖線ａのように開いた状態では、製造機械等に引っ掛かることを防止するために、実線のように摘み用タブ１を折り返して仮係合箇所（ループ部）１ａに仮係合させるものである。
【０００４】
上記止着テープ３では、摘み用タブ１の摘み部１ｂの長さＬ１が短く設定されているので、摘み部１ｂが折り返ってフック部２に係合するおそれが少ない。
【特許文献１】特開２００２−４５２１４号公報
【発明の開示】
【発明が解決しようとする課題】
【０００５】
しかしながら、図６（ｂ）に示すように、摘み用タブ１の摘み部１ｂの長さＬ２が長く設定されている場合、摘み部１ｂが二点鎖線ｂのような開いた状態から、実線のように折り返ってフック部２に係合するおそれが多くなる。
【０００６】
したがって、使用中に、摘み部１ｂが折り返ってフック部２に係合してしまうと、摘み部１ｂが摘みにくくなるとともに、この摘みにくい摘み部１ｂを摘んでフック部２から引き剥がさなければならなかった。そして、摘み部１ｂをフック部２から引き剥がさないままで、フック部２を別部品（例えば使い捨ておむつの本体）のループ部に係合させると、フック部２の係合面積が少なくなっているので、係合力が低下するという不具合があった。
【０００７】
本発明は、上記問題を解消するためになされたもので、摘み部が折り返ってフック部に係合した場合であっても、摘み部を摘みやすくして、フック部から容易に引き剥がせるように工夫した止着テープおよびこの止着テープを用いた使い捨て吸収性物品を提供することを課題とするものである。
【課題を解決するための手段】
【０００８】
上記課題を解決するために、請求項１の発明は、メカニカルファスナーのループ部として機能する不織布製の摘み用タブの一部にメカニカルファスナーのフック部が取付けられた止着テープであって、
上記摘み用タブのフック部の近傍に、折り返った摘み部が係合しない不係合部分が形成されていることを特徴とするものである。
【０００９】
請求項２の発明は、請求項１記載の止着テープであって、上記不係合部分は、フック部の端部に形成されていることを特徴とするものである。
【００１０】
請求項３の発明は、請求項１記載の止着テープであって、上記不係合部分は、摘み用タブの長さ方向にフック部と交互に形成されていることを特徴とするものである。
【００１１】
請求項４の発明は、請求項１記載の止着テープであって、上記不係合部分は、フック部内に形成されていることを特徴とするものである。
【００１２】
請求項５の発明は、止着テープを用いた使い捨て吸収性物品であって、請求項１〜４のいずれか１項に記載の止着テープの摘み用タブは、使い捨て吸収性物品の背側若しくは腹側の一方に設けられて、他方に設けられたメカニカルファスナーのループ部に着脱可能に係止するものであることを特徴とするものである。
【発明の効果】
【００１３】
請求項１の発明によれば、摘み用タブのフック部の近傍に、折り返った摘み部が係合しない不係合部分を形成したから、摘み部が折り返ってフック部に係合した場合であっても、不係合部分の存在によりフック部に全面係合しないので、摘み部が摘みやすくなって、フック部から容易に引き剥がせるようになる。
【００１４】
したがって、摘み部をフック部から引き剥がさないままで、フック部を別部品（例えば使い捨ておむつの本体）のループ部に係合させることもなくなるので、フック部の係合面積が保てて、係合力が低下するという不具合もなくなる。
【００１５】
また、不係合部分は、請求項２の発明のように、フック部の端部に形成すること、請求項３の発明のように、摘み用タブの長さ方向にフック部と交互に形成すること、請求項４の発明のように、フック部内に形成することのいずれか、若しくはこれらを組み合わせて適宜に選択使用することができる。
【００１６】
請求項５の発明のように、止着テープは、使い捨て吸収性物品等に好適に採用することができる。
【発明を実施するための最良の形態】
【００１７】
以下、本発明を実施するための最良の形態について、図面を参照しながら詳細に説明する。
【００１８】
図５（ａ）は、使い捨て吸収性物品であるテープ型の使い捨ておむつ１０であり、尿取りパッド１１の後背側Ｑの両側部に取付けた止着テープ（ファスニングテープ）１２を前腹側Ｐに取付けたループ部（フロンタルテープ）１３に着脱可能に取付けて着用するものである。
【００１９】
図５（ｂ）は、使い捨て吸収性物品であるパンツ型の使い捨ておむつ１４であり、胴周りや脚周り等に弾性部材１５で伸縮性を付与したパンツ型の外装部材１６の内面に尿取りパッド１１を貼付けるとともに、外装部材１５の後背側Ｑの両側部に取付けた止着テープ（ファスニングテープ）１２をメカニカルファスナーのループ部１３として機能する不織布製の前腹側Ｐに着脱可能に取付けて着用するものである。
【００２０】
上記止着テープ１２は、メカニカルファスナーのループ部として機能する不織布製の摘み用タブ１８であり、この摘み用タブ１８の一部にメカニカルファスナーのフック部１９が取付けられている。
【００２１】
ここで、メカニカルファスナーとは、フック部１９とループ部１３とが対をなして、両者を強く圧迫すると、フック部１９とループ部１３とが相互に外れにくいように係止されるとともに、フック部１９とループ部１３とを手で強く引き剥がすと、フック部１９とループ部１３との係止が外れるものをいい、面ファスナーとも呼ばれている。
【００２２】
また、不織布製シート自体は、メカニカルファスナーのループ部１３としての機能も有するので、ループ部１３を設ける代わりに、不織布シートを利用すれば、ループ部１３を省略できる。なお、メカニカルファスナーに代えて、繰り返して係止・剥離可能な粘着剤であっても良い。
【００２３】
上記摘み用タブ１８は、図６（ｂ）に示した従来技術と同様に、フック部１９の端部から摘み部１８ａの先端までの長さＬ２が長く設定されていて、このままでは、摘み部１８ａが折り返ってフック部１９に全面係合するおそれがある。
【００２４】
そこで、上記摘み用タブ１８のフック部１９の近傍に、折り返った摘み部１８ａが係合しない不係合部分２０を形成している。
【００２５】
具体的には、図１（ａ）（ｂ）に示す第１実施形態では、フック部１９の両端部に不係合部分２０を形成している。なお、不係合部分２０は、フック部１９の両端部に形成する必要は無く、好ましくは摘み部１８ａの先端側の部分だけに形成しても良い。
【００２６】
第１実施形態のように、摘み用タブ１８のフック部１９の近傍に、折り返った摘み部１８ａ〔図１（ｂ）の二点鎖線ｃ参照〕が係合しない不係合部分２０を形成することにより、摘み部１８ａが折り返ってフック部１９に係合した場合であっても、不係合部分２０の存在によって、摘み部１８ａがフック部１９に全面係合しないで、不係合部分２０から摘み部１８ａが浮き上がるようになるので、摘み部１８ａが摘みやすくなって、フック部１９から容易に引き剥がせるようになる。
【００２７】
したがって、摘み部１８ａをフック部１９から引き剥がさないままで、フック部１９をテープ型の使い捨ておむつ１０〔図５（ａ）参照〕やパンツ型の使い捨ておむつ１４〔図５（ｂ）参照〕のループ部１３に係合させることもなくなるので、フック部１９の係合面積が保てて、係合力が低下するという不具合もなくなる。
【００２８】
また、上記不係合部分２０は、後述するように、溶融や不係合素材（フィルム等）の接合で形成すれば、フック部１９や摘み部１８ａよりも硬くなって反発力を持つようになるから、摘み部１８ａ自体が折り返りにくくなるとともに、折り返ってフック部１９に係合しても、反発力で不係合部分２０の摘み部１８ａが浮き上がりやすくなるので、摘み部１８ａがより摘みやすくなる。
【００２９】
図２（ａ）（ｂ）に示す第２実施形態では、摘み用タブ１８の長さ方向にフック部１９と不係合部分２０とを交互に形成している。
【００３０】
図３（ａ）に示す第３実施形態では、フック部１９の摘み部１８ａの先端側の部分に、波形状の不係合部分２０を形成している。
【００３１】
図３（ｂ）に示す第４実施形態では、フック部１９内に、点状の不係合部分２０を形成している。
【００３２】
図３（ｃ）に示す第５実施形態では、フック部１９の両端部に、斜め形状の不係合部分２０を形成している。
【００３３】
第２〜第５実施形態であっても第１実施形態と同様の作用効果を奏することができる。
【００３４】
上記不係合部分２０の形成方法としては、図４（ａ）のように、フック部１９の不係合部分２０を形成する箇所に、ヒートシールや超音波シール等で熱をかけて溶融させる方法、フック部１９の製造時に予めフック部分を設けない方法、図４（ｂ）（ｃ）のように、摘み用タブ１８にフィルム等の不係合素材を接合し、その上にフック部１９を接合して取付ける方法等を採用することができる。
【００３５】
摘み用タブ１８とフック部１９若しくは不係合素材との接合は、ホットメルト接着剤やヒートシール、超音波シール時に発生する熱を利用して熱接着させる方法があり、これらを組み合わせても良い。
【００３６】
上記摘み用タブ１８は、少なくともフック部１９と係合し得るものであり、用いる材料としては、不織布材料、織布材料、編布材料、プラスチック材料から適宜選択できる。中でもスパンボンド法、エアースルー法、ポイントボンド法、メルトブロー法、エアレイド法やそれら製法の組み合わせ等によって製造される不織布材料が好ましい。さらに、目付３０〜１００ｇ／ｍ2のスパンボンド法、若しくはスパンボンド法とメルトブロー法を組み合わせたＳＭＳ法による不織布材料が強度の点から好ましい。最も好ましいのは、目付５０〜８５ｇ／ｍ2のスパンボンド法によって製造された不織布材料である。材質としては、ポリプロピレン、ポリエチレン、ポリアミド等の合成繊維、レーヨン、パルプ、絹等の天然繊維から適宜選択できるが、好ましくは、ポリプロピレン、ポリエチレン、ポリエステルといった合成繊維が利用でき、中でもポリプロピレン、ポリエステル繊維を主成分とするものは強度があり、好適である。最も好ましいのは、ポリエステル繊維である。摘み用タブ１８は、掴みやすく、破断防止となるのであることが望ましい。
【００３７】
上記不係合部分２０は、フック部１９と不係合部分２０の合計の面積Ｘに対して、不係合部分２０の合計面積Ｙが０．００５≦Ｙ≦０．７Ｘであり、０．１Ｘ≦Ｙ≦０．５Ｘが好ましい。
【図面の簡単な説明】
【００３８】
【図１】第１実施形態の止着テープであり、（ａ）は平面図、（ｂ）は側面図である。
【図２】第２実施形態の止着テープであり、（ａ）は平面図、（ｂ）は側面図である。
【図３】（ａ）〜（ｃ）は、第３〜第５実施形態の止着テープの平面図である。
【図４】（ａ）〜（ｃ）は、それぞれ不係合部分の形成方法の説明図である。
【図５】（ａ）はテープ型の使い捨ておむつの斜視図、（ｂ）はパンツ型の使い捨ておむつの斜視図である。
【図６】（ａ）（ｂ）は、それぞれ従来の止着テープの側面図である。
【符号の説明】
【００３９】
１０    テープ型の使い捨ておむつ（使い捨て吸収性物品）
１２    止着テープ
１３    ループ部
１４    パンツ型の使い捨ておむつ（使い捨て吸収性物品）
１８    摘み用タブ
１８ａ  摘み部
１９    フック部
２０    不係合部分
【図１】
2005319139.tif 000003
【図２】
2005319139.tif 000004
【図３】
2005319139.tif 000005
【図４】
2005319139.tif 000006
【図５】
2005319139.tif 000007
【図６】
2005319139.tif 000008